(57)【特許請求の範囲】
【請求項１】
露光開口部の側方位置において一方の面側に突き出して形成されており他方の面側を開放させた筒部が設けられている合成樹脂製の地板と、コイルを巻回しており先端の磁極部を前記筒部の周囲に形成された溝に挿入していて基部を前記地板の一方の面に取り付けられている少なくとも一つの固定子ヨークと、前記地板の他方の面から挿入して前記筒部内において前記地板に対してだけ回転可能となるようにして取り付けられており周面を前記固定子ヨークの磁極部に対向させている永久磁石回転子と、前記回転子と一体であって前記筒部外で回転する歯車と、前記歯車に噛合する歯部を有していて前記地板の他方の面に形成された突出部に係合され露光開口部を中心にして回転可能に配置されている駆動リングと、前記地板と前記駆動リングとの間に配置されていて前記駆動リングの回転方向によって露光開口部の開き方向の作動と閉じ方向の作動とを行なう複数枚の羽根とを備えていることを特徴とするカメラ用羽根駆動機構。
【請求項２】
前記回転子が、前記歯車の歯先円よりも直径の大きな回転部を有していて、該回転部が前記駆動リングに接触して、前記筒部外への前記回転子の動きが規制され得るようにしたことを特徴とする請求項１に記載のカメラ用羽根駆動機構。
【請求項３】
前記永久磁石回転子の回転中心に設けられた孔を回転可能に嵌合させる軸が、前記筒部内において、前記地板に一体成形加工によって形成されていることを特徴とする請求項１又は２に記載のカメラ用羽根駆動機構。
【発明の詳細な説明】
【０００１】
【発明の属する技術分野】
本発明は、露光開口部を囲むようにして配置されている駆動リングを、モータによって回転させ、複数枚の絞り羽根又はシャッタ羽根を同一方向へ回転させて、露光開口部に対する開き作動及び閉じ作動を行なわせるようにした電動式のカメラ用羽根駆動機構に関する。
【０００２】
【従来の技術】
露光開口部を囲むようにして配置された駆動リングが、モータによって回転させられ、その回転方向によって、複数枚の羽根に対し、露光開口部の開き作動と閉じ作動を行なわせるようにした機構が、特開平９−２３０４２０号公報や特開平９−２３０４２１号公報に記載されている。そして、それらの公報に記載されている実施例（以下、従来例という）は、何れも、露光開口部の側方位置において一方の面側に突き出して形成されており他方の面側を開放させた筒部を設けている板部材と、コイルを巻回しており先端の磁極部を前記筒部の周面に形成された溝に挿入し基部を第１の板部材の一方の面に取り付けられた固定子ヨーク（鉄芯部材）と、前記板部材の他方の面から前記筒部に挿入され周面を前記固定子ヨークの磁極部に対向させている永久磁石回転子と、前記回転子と一体であって前記筒部外で回転する歯車と、を備えていて、その歯車を介して前記駆動リングを回転させるようにしている。
【０００３】
【発明が解決しようとする課題】
ところで、上記の従来例によれば、回転子は、同心上に設けられた二つの回転軸部を有していて、一方の軸部を、上記した筒部内で板部材に軸受けさせ、他方の軸部を、露光開口部を有している地板に対し軸受けさせている。ところが、上記の従来例の構成からも分かるように、上記の板部材や地板には、回転子だけではなく、種々の部材が取り付けられていたり、種々の部材の位置決めに必要な部位が形成されているのが普通である。そのため、実際に組立作業を行なう際に、他の構成との関係をも配慮しながら、回転子に対する二つの軸受け部の位置を崩さずに、上記の板部材を地板に取り付けるのが極めて面倒であった。
【０００４】
本発明は、このような問題点を解決するためになされたものであり、その目的とするところは、簡単な作業によって回転子を取り付けることができ、しかも、駆動リングを支障なく回転させることの可能な、低コスト化に適した電動式のカメラ用駆動機構を提供することである。
【０００５】
【課題を解決するための手段】
上記の目的を達成するために、本発明のカメラ用羽根駆動機構は、露光開口部の側方位置において一方の面側に突き出して形成されており他方の面側を開放させた筒部が設けられている合成樹脂製の地板と、コイルを巻回しており先端の磁極部を前記筒部の周囲に形成された溝に挿入していて基部を前記地板の一方の面に取り付けられている少なくとも一つの固定子ヨークと、前記地板の他方の面から挿入して前記筒部内において前記地板に対してだけ回転可能となるようにして取り付けられており周面を前記固定子ヨークの磁極部に対向させている永久磁石回転子と、前記回転子と一体であって前記筒部外で回転する歯車と、前記歯車に噛合する歯部を有していて前記地板の他方の面に形成された突出部に係合され露光開口部を中心にして回転可能に配置されている駆動リングと、前記地板と前記駆動リングとの間に配置されていて前記駆動リングの回転方向によって露光開口部の開き方向の作動と閉じ方向の作動とを行なう複数枚の羽根とを備えているようにする。
【０００６】
また、本発明のカメラ用羽根駆動機構においては、前記回転子が、前記歯車の歯先円よりも直径の大きな回転部を有していて、該回転部が前記駆動リングに接触して、前記筒部外への前記回転子の動きが規制され得るようにすると、回転子の支持が一層確実となる。
【０００７】
また、本発明のカメラ用羽根駆動機構においては、前記永久磁石回転子の回転中心に設けられた孔を回転可能に嵌合させる軸が、前記筒部内において、前記地板に一体成形加工によって形成されているようにすると、永久磁石回転子の取付け精度が向上する。
【０００８】
【発明の実施の形態】
本発明の実施の形態を、図１〜図５に示した実施例によって説明する。尚、本発明はシャッタ羽根の駆動機構としても適用することが可能であるが、本実施例は、絞り羽根の駆動機構として構成された場合で説明する。そして、図１は、最小絞り口径の絞り制御状態を示した実施例の平面図であり、図２は、絞り羽根を省略して示した主にモータ取付部の断面図であり、図３は、図１の反対側から視た背面図である。また、図４は、図１に示した状態からモータ構成部品を取り外し、地板の表面側の平面形状が分かるようにして示した平面図であり、図５は、図４の状態において、地板の背面側の構成が分かるようにして示した平面図である。
【０００９】
本実施例の地板１は合成樹脂で製作されているが、先ずは、その形状を、主に図２〜図４を用いて説明する。図４は、地板１の表面側に取り付けられた構成部品を取り外して示したものである。この図４において、地板１の略中央部に形成されている円形の開口部１ａは、最大絞り口径を規制する露光開口部である。そして、その開口部１ａを囲む位置には、等間隔に配置された六つの丸い孔１ｂと、等間隔な配置ではないが、三つの長方形の孔１ｃとが形成されている。また、ほかにも長方形の二つの孔１ｄ，１ｅが形成されていて、それらの傍らには、図２において分かり易く示されているような、可撓性を付与されたフック部１ｆ，１ｇが形成されている。
【００１０】
また、地板１の表面側には、夫々、基準面より高い面を有する八つの台座部１ｈ，１ｉ，１ｊ，１ｋ，１ｍ，１ｎ，１ｐ，１ｑが形成されている。そして、それらの面は全て同じ高さ位置にあり、また、円柱形をした二つの台座部１ｈ，１ｍの中央部には、位置決めピン１ｈ−１，１ｍ−１が立設されている。更に、地板１の表面側には、筒部１ｒを間にして二つの凹部１ｓ，１ｔが形成されている。そして、その筒部１ｒは、コップを伏せたような形状をしており、中央部には軸１ｒ−１が形成され、円周の壁部には、内部まで貫通している三つの溝１ｒ−２，１ｒ−３，１ｒ−４が形成されている。また、凹部１ｓ，１ｔの表面は、地板１の表面側の基準面よりも低い位置に形成されている。
【００１１】
図３に示された本実施例の背面図には、地板１の背面側の形状が分かり易く示されている。即ち、この図３においては、上記した開口部１ａが、後述する複数枚の絞り羽根９に隠れて見えない状態になっているが、その開口部１ａの約３分の２を囲むようにしてガイド壁１ｕが形成されている。そして、このガイド壁１ｕには開口部１ａの中心（光軸）に向けて三つの突出部１ｕ−１，１ｕ−２，１ｕ−３が形成されている。また、それらの突出部１ｕ−１，１ｕ−２，１ｕ−３は、図２に示されているように、地板１の背面側の基準面よりも低い位置に形成されている。
【００１２】
次に、このような形状をした地板１に取り付けられている構成部品と、それらの取付け方を説明するが、先ず、図１及び図２を用いて、地板１の表面側に取り付けられている構成部品と、その取付け方から説明する。本実施例においては、駆動源としてステッピングモータが用いられていて、地板１の表面側には、その固定子の構成部品だけが取り付けられている。そして、その固定子は、ヨーク２，３と、コイル４，５を巻回したボビン６，７とで構成されているが、ヨーク２，３は、各々、先端が磁極部となっている二つずつの脚部２ａ，２ｂ、３ａ，３ｂと、基部に形成された嵌合部２ｃ，３ｃとを有しており、その一方の脚部２ａ，３ａにボビン６，７を嵌装させている。
【００１３】
そこで、ヨーク２を地板１に取り付ける場合には、先ず、図１において、筒部１ｒの左側から一方の脚部２ａの先端を溝１ｒ−２に挿入し、他方の脚部２ｂの先端を溝１ｒ−４に挿入していくが、このとき、それと並行して脚部２ａ，２ｂを若干撓ませかげんにしてボビン６を凹部１ｓに落とし込んでゆく。そして、嵌合部２ｃを位置決めピン１ｈ−１に嵌合させることによって、夫々、脚部２ａを台座部１ｋに載せ、脚部２ｂを台座部１ｊに載せ、嵌合部２ｃを形成している近傍の基部を台座部１ｈと１ｉに載せた状態にし、その基部をフック部１ｆによって止めるようにする。
【００１４】
そのため、脚部２ａ，２ｂの先端位置、即ちヨーク２の磁極部の位置は、位置決めピン１ｈの周面と溝１ｒ−２，１ｒ−４の壁とによって、確実に規制されることになるし、ヨーク２の基部の浮き上がりは、フック部１ｆの係止によって確実に防止されるようになる。また、もう一方のヨーク３は、筒部１ｒの右側に取り付けられるが、その取付け方は、上記の取付け方に準じて行なわれるので、その説明を省略する。
【００１５】
次に、主に図２，図３，図５を用いて、地板１の背面側から取り付けられる構成部品と、その取付け方について説明する。また、その取付け作業は、図２に示された地板１の上下位置を逆にして行なわれる。先ず、本実施例における回転子８は、４極に着磁されていて、その周面を、上記したヨーク２，３の脚部２ａ，２ｂ，３ａ，３ｂの先端面に対向させる永久磁石８ａと、合成樹脂のアウトサート加工によって永久磁石８ａに対し一体的に形成されている回転体８ｂ，歯車８ｃで構成されていて、回転中心には軸１ｒ−１に対して回転可能に嵌合させる孔８ｄが形成されている。また、歯車８ｃの歯先円の直径は、回転体８ｂの直径よりも小さい。そして、この回転子８を地板１に取り付ける場合には、先ずは、孔８ｄを軸１ｒ−１に嵌合させておくだけにする。
【００１６】
また、本実施例の６枚の絞り羽根９は、夫々、一方の面にピン９ａを有し、他方の面にピン９ｂを有しているが、先ずは、回転子８の場合と同様に、ピン９ａを孔１ｂに嵌合させた状態にしておく。尚、これらの絞り羽根９は、図２においては図示を省略され、図３においては一部だけしか見えていないが、その全体形状は図５において理解できるように示してある。
【００１７】
このような回転子８と絞り羽根９とは、地板１に対して駆動リング１０を取り付けることによって、最終的な取付け状態となる。その駆動リング１０は、略中央部に、開口部１ａよりも直径の大きな開口部１０ａを形成しており、その周りには、六つのカム溝１０ｂが形成されている。また、外周部には、三つの切欠き孔１０ｃ，１０ｄ，１０ｅと、歯部１０ｆとが形成されている。そして、この駆動リング１０を地板１に取り付ける場合には、図３において、地板１の突出部１ｕ−１，１ｕ−２，１ｕ−３の位置に、切欠き孔１０ｃ，１０ｄ，１０ｅの位置を合わせて嵌合させるが、そのとき、カム溝１０ｂに、絞り羽根９のピン９ｂを嵌合させ、歯部１０ｆを歯車８ｄに噛合させることになる。
【００１８】
そして、駆動リング１０を若干時計方向へ回転させた状態が、図３に示された取付け完了状態であり、且つ最小口径の絞り制御状態ということになる。また、この状態においては、回転子８は、孔８ｄが軸１ｒ−１に嵌合されているだけであるが、通常の場合には、ヨーク２，３の脚部２ａ，２ｂ，３ａ，３ｂと回転子８との間に作用する永久磁石の吸引力によって、回転子８が軸１ｒ−１から抜けてしまうようなことがない。しかし、万が一を考慮して、本実施例においては、上記したように、円柱形をした回転体８ｂの直径が、歯車８ｃの歯先円の直径よりも大きいため、回転体８ｂが駆動リング１０に接触し、回転子８が軸１ｒ−１から抜けてしまうようなことはない。このように、本実施例においては、全ての構成部材が、地板１を中心にして、その表面側と背面側に、ビスなどの独立した取付け部品を用いることなく、且つ取付け位置の位置決めなどに余り神経を使わないで、取り付けられるようになっている。
【００１９】
次に、説明するまでもないことではあるが、図１及び図５を用いて本実施例の口径調節作動について簡単に説明をしておく。上記したように、図１及び図５は、最小絞り口径の制御状態を示したものであるが、この状態において、コイル４，５に対して、絞り情報に対応したパルス通電を行うと、回転子８は時計方向へ回転し、駆動リング１０を反時計方向へ回転させる。そのため、各絞り羽根９は、ピン９ｂがカム溝１０ｂに操作され、ピン９ａを中心にして反時計方向へ回転させられることによって、絞り口径を大きくしていく。そして、通電が断たれれば、その作動は停止するし、その後、回転子８を反時計方向へ回転させれば、絞り口径を小さくして図１及び図５の状態に復帰させることができるようになっている。
【００２０】
このように、本実施例の作動説明においては、最小絞り口径の制御状態を初期状態として説明したが、カメラによっては、最大絞り口径の制御状態を初期状態とするものもある。また、スチルカメラの場合には、絞り羽根９を所定の口径制御位置で停止させておいて撮影するのが普通であるが、ビデオカメラの場合には、撮影中に被写体光が変化すると、それに対応して、絞り口径を変化させるようにしているのが普通である。本実施例は、それらの何れの場合にも適用させることが可能である。更に、本実施例の絞り羽根９を、開口部１ａを完全に閉鎖するまで作動させるようにすれば、シャッタ装置として使用することが可能になることは言うまでもない。
【００２１】
尚、上記の実施例においては、歯車８ｃがアウトサート加工によって回転子８に一体化されているが、別部品として製作しておいてから一体化するようにしても差し支えない。また、本実施例においては、地板１の軸１ｒ−１に回転子８の孔８ｄを嵌合させているが、逆に、回転子８の上面中心位置に軸部を形成し、それを地板に設けた孔で軸受けさせるようにしても構わない。更に、上記の実施例においては、地板１の孔１ｂと絞り羽根９のピン９ａを嵌合させているが、地板１にピンを設け、絞り羽根９に孔を形成するようにしても差し支えなく、何れの場合にも、絞り羽根９を取り付けた段階では、絞り羽根９は回転運動しかしないので、その後における駆動リング１０の取付け作業が容易となる。但し、本発明は、そのような取付け構成に限定されるものではなく、ピンとカム溝によって取り付けることを妨げるものではない。
【００２２】
更に、本実施例においては、ガイド壁１ｕを円弧状の一つの部位として形成しているが、それを所定の角度位置で分断し、複数の部位として形成することを妨げるものではない。また、実施例においては、回転子が４極に着磁されたステッピングモータを駆動源としているが、本発明は、そのようなモータを用いる場合に限定されない。従って、固定子ヨークの数や固定子の磁極数は、限定されることがない。
【００２３】
【発明の効果】
以上のように、本発明によれば、従来のように、回転子を二つの部材によって軸受けすることなく、筒部の内部において地板に対してだけ回転可能に取り付ければよいので、構成を簡単にすることができ、特に組立作業が極めて容易になることから、低コストの羽根駆動機構を得ることが可能になる。
【図面の簡単な説明】
【図１】最小絞り口径の絞り制御状態を示した実施例の平面図である。
【図２】絞り羽根を省略して示した図１におけるモータ取付部の断面図である。
【図３】図１の反対側から視た背面図である。
【図４】図１に示した状態からモータ構成部品を取り外し、地板の表面側の平面形状が分かるようにして示した平面図である。
【図５】図４の状態において、地板の背面側の構成が分かるようにして示した平面図である。
【符号の説明】
１                        地板
１ａ，１０ａ              開口部
１ｂ，１ｃ，１ｄ，１ｅ，８ｄ  孔
１ｆ，１ｇ                フック部
１ｈ，１ｉ，１ｊ，１ｋ，１ｍ，１ｎ，１ｐ，１ｑ  台座部
１ｈ−１，１ｍ−１        位置決めピン
１ｒ                      筒部
１ｒ−１                  軸
１ｒ−２，１ｒ−３，１ｒ−４  溝
１ｓ，１ｔ                凹部
１ｕ                      ガイド壁
１ｕ−１，１ｕ−２，１ｕ−３  突出部
２，３                    ヨーク
２ａ，２ｂ，３ａ，３ｂ    脚部
２ｃ，３ｃ                嵌合部
４，５                    コイル
６，７                    ボビン
８                        回転子
８ａ                      永久磁石
８ｂ                      回転体
８ｃ                      歯車
９                        絞り羽根
９ａ，９ｂ                ピン
１０                      駆動リング
１０ｂ                    カム溝
１０ｃ，１０ｄ，１０ｅ    切欠き孔
１０ｆ                    歯部
【図１】
0004237905.tif 000002
【図２】
0004237905.tif 000003
【図３】
0004237905.tif 000004
【図４】
0004237905.tif 000005
【図５】
0004237905.tif 000006